(57)【要約】      （修正有）【課題】帳票の表面のみならず裏面の情報であっても読み取り装置で読み取ることが可能な書類処理装置および書類処理方法を提供する。【解決手段】リバース読取判別装置３０には、水平の搬送面を有する下部水平搬送部１５０、下り傾斜の搬送面を有する下り傾斜搬送部１６０、急角度の登り傾斜を有する下部上方傾斜搬送部１７０、登り傾斜の搬送面を有する登り傾斜搬送部１８０、急角度の登り傾斜搬送部の搬送面を有する上部上方傾斜搬送部１９０、及び水平の搬送面を有する上部水平搬送部２００を備え、読み取り部５５で上部から裏面情報を読み取り可能としている。そしてエアー機構と搬送ベルトを利用した搬送により、フロント読取判別装置と同じ品質で帳票の裏面処理に対するより信頼性の高い機能が可能となり、落下する紙粉、ゴミ、等の汚れ、インク汚れなどの影響が激減し、良好な機能状態の維持が可能となりメンテナンスも極めて容易となった。【選択図】図２
2008024462.tif 000002
【特許請求の範囲】
【請求項１】
搬送路に従って搬送される書類の情報を読み取り可能な書類処理装置であって、
上流装置より搬送されてくる書類を受け取り搬送する第１の搬送部と、  前記第１の搬送部から搬送される前記書類の裏面が上部となるように反転させる第１の反転搬送路と、
前記第１の反転搬送路で反転させた前記書類を裏面を上部にして搬送する第２の搬送部と、
前記第２の搬送部で搬送される前記書類を表面が上部となるように反転させる第２の反転搬送路と、
前記第２の反転搬送路で反転させた前記書類を表面を上部にして下流装置に搬送する第３の搬送部と、
前記第１又は前記第３の搬送部により搬送される前記書類の上面より情報を読み取る表面情報読み取り手段と、
前記第２の搬送部により搬送される前記書類の上面より情報を読み取る裏面情報読み取り手段とを備えることを特徴とする書類処理装置。
【請求項２】
搬送路に従って搬送される書類の情報を読み取り可能な書類処理装置であって、
上流装置より搬送されてくる書類を搬送する搬送部の搬送面をほぼＳ字状に形成し、前記書類の表面を上に搬送する第１の搬送エリアと、前記書類の裏面を上に搬送する第２の搬送エリアと、前記書類の表面を上に搬送する第３の搬送エリアとを連続して設けることを特徴とする書類処理装置。
【請求項３】
前記書類に表された情報を読み取る読み取り装置を、前記第１のエリアと前記第２のエリアにそれぞれ設置し、前記第１の搬送エリアに設置した読み取り装置で帳票表面の情報を読み取ると共に、前記第２の搬送エリアに設置した読み取り装置で帳票裏面の情報を上部より読み取り可能とすることを特徴とする請求項２記載の書類処理装置。
【請求項４】
前記各読み取り手段には、前記書類に所定の情報を印刷する印刷装置を併せて設置可能とすることを特徴とする請求項１乃至請求項３のいずれかに記載の情報処理装置。
【請求項５】
書類を搬送してくる上流装置の書類搬送面に連続するほぼ水平の搬送面を有する下部水平搬送部と、
前記下部水平搬送部に連結し、前記下部水平搬送部から連続して鈍角の角度変の下り傾斜の搬送面を有し、前記書類を下り傾斜の搬送部に搬送する下り傾斜搬送部と、
前記下り傾斜搬送部に連結し、ほぼ直角の角度変化で急角度の登り傾斜を有する下部上方傾斜搬送部と、
登り傾斜の搬送面を備え、前記下部上方傾斜搬送部にほぼ直角の角度変化で連結し、該下部上方傾斜搬送部より搬送されてくる前記書類の表裏が逆となるように登り傾斜の搬送面により搬送する登り傾斜搬送部と、  前記登り傾斜搬送部より搬送されてくる前記書類をほぼ直角の角度変化で連結し、急角度の登り傾斜の搬送面を有する上部上方傾斜搬送部と、
上部上方傾斜搬送部の急角度の登り傾斜の搬送面に対してほぼ水平の搬送路となるように連結し、搬送されてくる前記書類の表裏が逆となるように前記ほぼ水平の搬送面により搬送する上部水平搬送部とを備え、
前記上部水平搬送部の搬送面が下流装置の書類搬送面とほぼ連続していることを特徴とする書類処理装置。
【発明の詳細な説明】
【技術分野】
【０００１】
本発明は、書類、例えば帳票を搬送路上を搬送し、書類の情報を読み取り可能な書類処理装置に関するものである。
【背景技術】
【０００２】
近年における業務の多様化や業務内容の変化に伴い、様々な業種において多種多様の書類や帳票等が使用されている。業務の迅速化、サービス向上等のため、それらの帳票等を短時間、かつ確実に処理する必要性が増してきている。例えば、物流業界、大規模小売店、通信販売業者等において伝票の処理を効率的に行うことが重要視されてきている。
【０００３】
また、業務内容の複雑化により、取り扱う帳票等も、規格化されたものだけでなく、その業種の業務に合致させるために特化した種々の形態を有するものが用いられてきており、例えば、単シートの帳票であっても、表面ばかりでなく裏面にも種々の情報を記載などするようになって来ており、書類処理装置も両面から情報を読み取る必要があった。
【０００４】
従来は、帳票などの搬送路の上部に設置したフロント読取装置で帳票表面の情報を読み取り、また、搬送路の下部に読取装置、印刷装置等（撮像カメラ（Image  Camera）、ＯＣＲ、バーコードリーダ（Bar  Code  Reader）及び所定の情報を印刷する印刷装置を複数含む）を上に向けて設置した読取装置で帳票裏面の情報を読み取っていた。
【発明の開示】
【発明が解決しようとする課題】
【０００５】
しかしながら、搬送路の下部に読み取り面を上に向けて設置した読取装置では、読取面に搬送路から落下する紙粉や種々のゴミ類、破片等が落ちてくるため、又インク汚れ等の影響で頻繁に読み取り面の掃除が欠かせなかった。
【０００６】
また、搬送路の下部に装置を設置するため、設置場所も限られ、調整もしにくかった。更に、搬送路においても、ゴミなどが落ちにくくするためには開口部の面積を減らす必要があり、結果読み取り面が狭まってしまうため、読み取り精度が上げられない欠点があった。
【０００７】
本発明は、上述の課題に鑑みてなされたもので、その目的とするところは、帳票の両面の情報を簡単かつ高信頼性をもって読み取ることが可能な書類処理装置および書類処理方法を提供することである。
【課題を解決するための手段】
【０００８】
かかる目的を達成し、上述した課題を解決する一手段として、例えば、以下の構成を備える。
【０００９】
即ち、搬送路に従って搬送される書類の情報を読み取り可能な書類処理装置であって、上流装置より搬送されてくる書類を受け取り搬送する第１の搬送部と、前記第１の搬送部から搬送される前記書類の裏面が上部となるように反転させる第１の反転搬送路と、前記第１の反転搬送路で反転させた前記書類を裏面を上部にして搬送する第２の搬送部と、前記第２の搬送部で搬送される前記書類を表面が上部となるように反転させる第２の反転搬送路と、前記第２の反転搬送路で反転させた前記書類を表面を上部にして下流装置に搬送する第３の搬送部と、前記第１又は前記第３の搬送部により搬送される前記書類の上面より情報を読み取る表面情報読み取り手段と、前記第２の搬送部により搬送される前記書類の上面より情報を読み取る裏面情報読み取り手段とを備えることを特徴とする。
【００１０】
または、搬送路に従って搬送される書類の情報を読み取り可能な書類処理装置であって、上流装置より搬送されてくる書類を搬送する搬送部の搬送面をほぼＳ字状に形成し、前記書類の表面を上に搬送する第１の搬送エリアと、前記書類の裏面を上に搬送する第２の搬送エリアと、前記書類の表面を上に搬送する第３の搬送エリアとを連続して設けることを特徴とする。
【００１１】
そして例えば、前記書類に表された情報を読み取る読取装置を、前記第１のエリアと前記第２のエリアにそれぞれ設置し、前記第１の搬送エリアに設置した読み取り装置で帳票表面の情報を読み取ると共に、前記第２の搬送エリアに設置した読取装置で帳票裏面の情報を上部より読み取り可能とすることを特徴とする。
【００１２】
また例えば、前記各読み取り手段には、例えば、撮像カメラ（Image  Camera），ＯＣＲ，バーコードリーダ（Barｃode  Reader）及び前記書類に所定の情報を印刷する印刷装置等を併せて設置可能であり、これら各機能による帳票裏面の情報はフロント搬送機構と同じ品質が得られることを特徴とする。
【００１３】
さらにまた、書類を搬送してくる上流装置の書類搬送面に連続するほぼ水平の搬送面を有する下部水平搬送部と、前記下部水平搬送部に連結し、前記下部水平搬送部から連続して鈍角の角度変の下り傾斜の搬送面を有し、前記書類を下り傾斜の搬送部に搬送する下り傾斜搬送部と、前記下り傾斜搬送部に連結し、ほぼ直角の角度変化で急角度の登り傾斜を有する下部上方傾斜搬送部と、登り傾斜の搬送面を備え、前記下部上方傾斜搬送部にほぼ直角の角度変化で連結し、該下部上方傾斜搬送部より搬送されてくる前記書類の表裏が逆となるように登り傾斜の搬送面により搬送する登り傾斜搬送部と、前記登り傾斜搬送部より搬送されてくる前記書類をほぼ直角の角度変化で連結し、急角度の登り傾斜の搬送面を有する上部上方傾斜搬送部と、上部上方傾斜搬送部の急角度の登り傾斜の搬送面に対してほぼ水平の搬送路となるように連結し、搬送されてくる前記書類の表裏が逆となるように前記ほぼ水平の搬送面により搬送する上部水平搬送部とを備え、前記上部水平搬送部の搬送面が下流装置の書類搬送面とほぼ連続していることを特徴とする。
【発明の効果】
【００１４】
本発明によれば、帳票等の書類情報を表面の情報のみならず裏面の情報ともに帳票の上部に設置した読取装置で読み取ることが可能となり、書類面情報の収集手段、例えば、撮像カメラ（Image  Camera）、ＯＣＲ、バーコードリーダ（Barｃode  Reader）及び所定の情報を印刷する印刷装置等を複数含む機構がフロント読取装置と同じ品質で得られる。更に落下する紙粉や種々のゴミ類、破片等の影響が激減し、良好な機能状態の維持が継続出来、印字品質も向上し、メンテナイスが容易で信頼性の高い帳票情報の読み取りが可能となる。
【発明を実施するための最良の形態】
【００１５】
以下、添付図面を参照して、本発明に係る一実施の形態例について詳細に説明する。図１は、本発明に係る一実施の形態例の書類処理装置の全体構成を示す外観図である。この書類処理装置（以下、単に装置ともいう）は、図１に示すようにセットされた書類（例えば「帳票」など）を一つずつ分離搬送するホッパー装置（ホッパーモジュール）１０、メインコントローラ／判別装置１２、レジストレーション装置１５、フロント読取判別装置（リーダーモジュール）２０、及びリバース読取判別装置（例えば、撮像カメラ（Image  Camera）、ＯＣＲ、バーコードリーダ（Barｃode  Reader）及び所定の情報を印刷する印刷装置を複数含む）３０、およびスタッカ装置４０からなる。
【００１６】
ホッパー装置１０は、載置された書類、帳票等（以下、説明の簡単のためにこれらを総称して「帳票」と称することがある。）を分離・搬送するための装置であり、種々の厚さを有し、かつサイズの異なる混在帳票を一枚ごとに分離して、それらをレジストレーション装置１５、フロント読取判別装置２０へ搬送する。
【００１７】
本実施の形態例のリバース読取判別装置３０は、後述するようにホッパー装置１０より搬送されてきた帳票を搬送するＳ字状の搬送路を備えており、帳票の搬送状態を検知したり、帳票の表面及び裏面全体の画像情報を何れも搬送路上面から読み取れ、所定の画像解析処理等を行うことが可能に構成されている。
【００１８】
ホッパー装置１０より搬送された帳票の表面あるいは裏面の画像情報は、撮像装置（イメージリーダ）によりイメージとして電子的に取り込まれ、帳票の所定領域に記載された文字等の画像の解析、記載内容の抽出が行われる。
【００１９】
しかし、電子的に取り込まれる情報は、イメージ情報に限るものではなく、磁気データであっても良く、またバーコード情報であっても良く、データ種別に限定されない。
【００２０】
レジストレーション装置１５は、ホッパー装置１０の後段（下流側）に位置しており、後述する方法により、ホッパー装置１０から送られてきた帳票が単一の帳票（単票）であるか、あるいは、単票が他の単票と重なった状態で搬送されていないかどうか等を判定可能である。
【００２１】
スタッカ装置４０は、の下流側において、搬送されてきた帳票を、制御部等からの指示に従って分類スタッカ−（ポケット）に載置するための書類収納部として機能する。本書類処理装置は、フロント読取判別装置２０により高い位置で搬送されてくるため、上段のポケットと下段のポケットを備える２段ポケット構成を無理なく実現できる。
【００２２】
さらに、作業者が種々の操作情報を入力したり、装置の動作状態等を表示したり、フロント読取判別装置２０で読み込んだ画像を可視表示するため、操作部や表示部等として機能するモニタ部６０を有している。
【００２３】
次に、本実施の形態例に係る書類処理装置を構成する上記の各装置についてさらに説明する。ホッパー装置１０のフィーダ機構は混在した帳票類を揃えて、一枚一枚を正確に分離し、良好な状態で下方に分離した帳票を送り出す装置である。
【００２４】
フィーダ機構より送り出された帳票は次のレジストレーション装置１５で帳票が単票として分離フィードされたかの確認判定をされ、さらに帳票がスキュウした状態であれば補正され、次へと搬送される。
【００２５】
次に、フロント読取判別装置２０で撮像カメラ（Image  Camera）で撮影された帳票イメージはメインコントローラ／判別装置１２に送られ、イメージデータの格納又はＯＣＲ読取が行われ、バーコードリーダ（Barcode  Reader）によるバーコード情報（BarCode）の読取又はインクジェット印刷装置により印字されて、リバース読取判別装置３０へ搬送される。図２を参照して本実施の形態例のリバース読取装置の機構説明する。図３はリバース読取判別装置３０の搬送機構を説明するための図である。
【００２６】
リバース読取判別装置３０のＳ字状の搬送機構もフロント読取判別装置２０の搬送機構とほぼ同じ機構であり、単に搬送面が水平ではなく、傾斜している面があるのみであり、基本的な搬送機構は全く同じである。このため、後述するリバース読取判別装置３０の説明ではこの搬送機構の詳細説明を省略している。
【００２７】
図２のリバース読取判別装置３０の搬送ベルトの両側にある搬送面上には、連続した複数個の空気穴からなるエア機構が設けられている。エア機構は、空気穴から僅かに空気を吸引している状態であり、帳票は弱く、かつ均等な力で搬送ベルトに密着させた状態に維持され、搬送ベルトの移動に併せて移動する。エアー機構により帳票が浮き上がったり位置ズレが発生などすることなく、スムーズに搬送できる。しかも、一部を除いて搬送面の上部よりローラで押圧などしていないため、搬送面の上面が全面的に解放された状態となり、帳票の取り出し及びオプション装置などの追加取り付けにも容易に対応可能に構成されている。
【００２８】
この搬送機構により、高速での帳票搬送が可能となるとともに、後述する読取装置のような傾斜した搬送面としても、単に搬送ベルトを移動させるのみで搬送面に密着した状態で帳票の搬送ができる。
【００２９】
次に本実施の形態例の特徴的な装置であるリバース読取判別装置３０を図２及び図３を参照して説明する。図２は本実施の形態例の特徴的な装置である主要部を示す外観図、図３は読み取り装置の搬送ベルト及びローラの配設状態を説明するための図である。このリバース読取判別装置３０はホッパー装置１０とフロント読取判別装置２０とに続くところに位置する。
【００３０】
本実施の形態例においては、フロント読取判別装置２０においても後述する各搬送路の構成は上記したリバース読取判別装置３０の搬送路と全く同様の構成である。このため、搬送部の詳細構成の説明は省略する。
【００３１】
図２に示すように、リバース読取判別装置３０には、フロント読取判別装置２０より連続する水平の搬送面を有する下部水平搬送部１５０、下り傾斜の搬送面を有する下り傾斜搬送部１６０、急角度の登り傾斜を有する下部上方傾斜搬送部１７０、登り傾斜の搬送面を有する登り傾斜搬送部１８０、急角度の登り傾斜の搬送面を有する上部上方傾斜搬送部１９０、及び水平の搬送面を有する上部水平搬送部２００を備えている。
【００３２】
各搬送部とも、帳票を搬送するため、一定の距離をおいて相互に平行して隣り合う位置関係を維持する６本の搬送ベルトが配されている。これらの搬送ベルトの両側の搬送面には、図１に示すフロント読取判別装置２０と同様に連続する複数個の空気穴が開けられており、これらの穴より所定量、所定圧で空気が吸い込まれる構造（エア機構）を備えている。図３においては、この搬送ベルトを鎖線で示している。
【００３３】
搬送ベルトは、不図示の駆動モータで回転駆動されて、各搬送部において相互に同期して同一方向へ同じ速度で移動する。それと同時に、空気穴より空気の吸い込みが行われる。
【００３４】
このため、ホッパー装置１０よりフロント読取判別装置２０へ帳票が搬入されると、その帳票は、最初に下部水平搬送部１５０における搬送ベルトの先端部近傍に触れて、リバース読取判別装置３０側へ引き込まれる。そして、帳票は直ちに下り傾斜搬送部１６０の下り傾斜搬送部１６０の下部水平搬送部１５０との連結部近傍に配設されているローラ群３２１の下部に到達する。
【００３５】
ローラ群３２１は、複数（ここでは搬送ベルト数に併せて６個）の回転ローラからなり、それぞれが各搬送ベルトの真上に位置することで、その自重により、下部を通過する帳票へ一定の押圧力を付与する。
【００３６】
これによって、フロント読取判別装置２０における搬送の下り傾斜搬送部１６０に送る際に搬送面の角度が変わっても、帳票が浮き上がるのを防止するとともに、確実に搬送ベルトに密着させている。これは、図３に示されている各搬送部の連結部近傍に配設されている他のローラ群も同様である。
【００３７】
ローラ群３２１の下部から搬送面は下り傾斜となっており、ローラ群３２１を通過した帳票は、空気穴へ流入する空気により吸い込まれながら、回転駆動された搬送ベルトに従って、下り傾斜した搬送面（１６０）を最奥部まで移動する。
【００３８】
最奥部から搬送面がほぼ直角に急角度の登り傾斜の搬送面となるため、連結部の搬送面角に大径のローラ機構１６５を設け、下り傾斜搬送部１６０側及び下部情報傾斜搬送部１７０の搬送面側から搬送されてくる帳票を搬送ベルトに圧接してスムーズに次の搬送部に受け渡す構造を採用している。
【００３９】
これは、上り傾斜搬送部１８０と上部上方傾斜搬送部１９０の連結部でもほぼ同様の構成である。この角部に設けたローラ機構のみであっても、搬送ベルトの両側に設けられているエア機構により帳票は搬送ベルトに密着した状態に維持されるため、搬送ベルトとともに確実に搬送される。
【００４０】
なお、図３に示すように、上方傾斜搬送部の大径ローラの配設されていない他方端部には、帳票を搬送ベルトに圧着して該帳票を上方傾斜搬送部の端部より先に確実に搬送するように構成されている。
【００４１】
下部上方傾斜搬送部１７０で上方に搬送される書類（帳票）は、ローラ１７５搬送ベルトによりそのまま先に搬送され、図３にGで示すガイド板まで到達する。
【００４２】
登り傾斜搬送部１８０の下部上方傾斜搬送部１７０との連結部は、大径の搬送ベルト駆動ローラとなっており、この駆動ローラの外側２箇所で搬送されてくる帳票を登り傾斜部１８０の搬送ベルトに圧接している。
【００４３】
即ち、帳票先端は搬送ベルトと上方傾斜搬送部の搬送面に位置決めされている圧接ローラにより挟み込まれ、搬送されるが、ガイド板があるために登り傾斜搬送部の搬送面に沿うように曲げられていく。
【００４４】
そして、登り傾斜搬送部の搬送面に位置決めされている圧接ローラと登り傾斜搬送部の搬送ベルト間に到達し、この圧接ローラと登り傾斜搬送部の搬送ベルト間に挟み込まれて、搬送面の角度が変更となっても、ほぼ直角に折れ曲がり、登り傾斜搬送部１８０の搬送ベルトと密着状態で搬送させることが可能に構成されている。
【００４５】
この際、今まで帳票の表面が上の状態で搬送されてきたが、ここからは帳票の裏面が上の状態で搬送されることになる。よって、この登り傾斜搬送部上部に読取装置や印刷装置を位置決め配置すれば、帳票の裏面の上方を上から読取、また印刷できる。
【００４６】
特に、印刷装置として、コンパクトな筐体でかつ任意の文字種やパターンを印刷使用としている場合には、インクジェットプリンタが適している。しかし、搬送路の下側から上方に向かってインクを飛翔させるには種々の制約が避けられないのが実情であり、うまく印刷できなかったり、インクヘッドを上記清掃する必要があったり、また、インクが周囲に飛散りやすくなり、信頼性の確保が困難などの不具合が避けられなかった。
【００４７】
しかし、本実施の形態例によれば、エアー機構と搬送ベルトを利用した搬送により高速での搬送を確保しながら、例えば、撮像装置（Image  Camera）、ＯＣＲ、バーコードリーダ（Barcode  Reader）及び所定の情報を印刷する印刷装置を複数組み合わせて使用でき、フロント読取判別装置と同じ品質で帳票の裏面処理に対するより信頼性の高い機能が可能となり、落下する紙粉、ゴミ、等の汚れ、インク汚れなどの影響が激減し、良好な機能状態の維持が可能となりメンテナンスも極めて容易となった。
【００４８】
リバース読取判別装置３０の説明の戻る。登り傾斜搬送部１８０の最奥部で再びほぼ直角に折れ曲がって、上部上方傾斜搬送部１９０となり、その後更にほぼ直角に折れ曲がり、上部水平傾斜搬送部２００となり、スタッカー装置４０の搬送路と連結している。
【００４９】
この登り傾斜搬送部１８０の最奥部と、上部上方傾斜搬送部１９０との連結部の構成は、下り傾斜搬送部１６０の最奥部と下部上方傾斜搬送部１７０との連結部とほぼ同様構成であり、また、上部上方傾斜搬送部１９０と上部水平傾斜搬送部２００との連結部の構成は下部上方傾斜搬送部１７０と登り傾斜搬送部１８０の連結部とほぼ同様の構成である。
【００５０】
このため、上部水平傾斜搬送部２００に搬送されてきた帳票は、再び表面が上方に位置する状態になっており、この状態でスタッカー装置４０に送られる。なお、スタッカー装置４０の搬送面は、この上部水平搬送部２００の搬送面に合わせているため、下流に位置するスタッカ装置４０の搬送面も装置の上方とすることができる。このため、スタッカ装置４０のスタッカーのポケットを容易に上下２段に構成でき、コンパクトでありながら多数の収納ポケットを備えたスタッカ装置にできる効果も得られる。
【００５１】
なお、図３にＧで示すガイドは、幅が搬送面の幅に対応し、搬送ベルト部分に切欠部分が形成されており、この切欠部分に圧接ローラが配設され、搬送ベルト面に圧接可能となっている。
【００５２】
以上の構成により、登り傾斜搬送部１８０、それに続く上部上方傾斜搬送部１９０では、帳票の裏面が上面となり、登り傾斜搬送部１８０の部分には、帳票の裏面に表されている情報を読み取る裏面情報読取部５５及び又は印刷装置を設ければ、精度の高い読み取り及び印刷が可能となるほか、調整及び保守のためのスペースも広く確保でき、作業効率が大幅に向上する。
【００５３】
上部上方傾斜搬送部１９０に続く上面水平搬送部２００では再び帳票の表面が上面となり、表面が上になった状態でスタッカー装置４０へ搬送されるため、例えば、ここに帳票表面の情報を読み取る読み取り装置５０及び印刷装置を配設すれば、調整及び保守のために、広いスペースが確保でき、これらの作業が阻害されることもない。
【００５４】
以上の構造のみであっても、ローラによる搬送方向の変更とともに、搬送方向が変わった後も、帳票は搬送ベルト両側面に設けられているエア機構の作用で、帳票は搬送ベルトに密着した状態に維持されるため、搬送面に沿って所定の搬送速度で搬送される。
【００５５】
また。Ｓ字状に搬送するため、下り傾斜搬送部１６０及び下部上方傾斜搬送部１７０では帳票の表面が上部を向いて搬送されるが、登り傾斜搬送部１８０と上部上方傾斜搬送部１９０では、帳票の裏面が上側になって搬送される状態となる。これを利用して、登り傾斜部１８０の部分には、帳票の裏面に表されている情報を読み取る裏面情報読取部５５が設けられている。
【００５６】
以上の搬送路上において、帳票はエアー機構の作用で搬送ベルトに絶えず密着した状態に維持されるため、搬送ベルトの傾斜が変化しても、帳票が浮き上がるようなことなく良好な搬送状態を維持することができる。
【００５７】
また、今まで帳票の裏面情報の読取機構は搬送路下側の筐体内などに位置決めせざるを得なかったことから、調整の困難さが避けられなかったが、帳票搬送路の上面に裏面情報読取部５５を配置できるため、周辺に広いスペースが確保できるとともに読み取り機構を下方に向けて配置でき、位置調整なども容易になる。
【００５８】
更に、読み取り面を下方に向けて配置できるため、搬送路の下側に配置する場合の様に、紙のくずやゴミなどが飛散して読み取り機構に付着することがほとんど無く、読み取り精度が落ちることも防げる。この読み取り機構のメンテナンス性の向上は、システム全体の信頼性向上に大きく寄与している。
【００５９】
このように、リバース読取判別装置３０の撮像装置（イメージリーダ）５０を通過した帳票は、図１に示すスタッカー装置４０に搬送されることになる。
【００６０】
次に、本実施の形態例に係る書類処理装置の動作および制御手順の概略を説明する。
【００６１】
図１に示すホッパー装置１０のホッパ部に処理すべき帳票をセットし、例えば必要に応じてモニタ部６０から、処理条件を設定し、処理の開始を指示する。処理条件に変化がない場合には処理の開始のみを指示するだけでよい。      
【００６２】
更に、本実施の形態例に係る書類処理装置では、ホッパー装置１０よりリバース読取判別装置３０へ帳票が搬送されてくると、Ｓ字状搬送路を備えることから、登り傾斜搬送部１８０で帳票の裏面の情報を上部から読み取ることができ、また、上部水平搬送部２００で帳票表面の情報をやはり上部から読み込むことができる。なお、帳票表面の情報は、下部水平搬送部１５０部に設置しても、あるいは下り傾斜搬送部１６０部にセットしても良い。
【００６３】
続くリバース読取判別装置３０では、フロント読取装置２０から搬送されてきた帳票の内容情報の判定、すなわち、その帳票が単票か、取得されたイメージ情報の内容が正しいか、あるいは読み取られたＯＣＲ，又はバーコードリーダ（Baｒｃode  Reader）の内容が正しいか等の判定情報及び、更にリバース読取判別装置３０の機能構成に基づいて取得された種々の情報、すなわち取得されたイメージ情報の内容が正しいか、あるいは読み取られたＯＣＲ，又はバーコードリーダ（Barcode  Reader）の内容が正しいか等の判定情報を総合して必要情報が印刷装置で印字され最終判定を下し、次に続くスタッカー装置に区分け信号として送出される。帳票はこの区分け信号に従って、指定されたスタッカ部（ポケット）内に分離、収納される。なお、区分け信号とは、スタッカ装置４０へ搬送された帳票を、最終的に判別された内容により、あらかじめ指定したスタッカ部（ポケット）内に分離、収納するための指示信号である。  
【００６４】
なお、本発明は、上述した実施の形態例に限定されるものではなく、発明の趣旨を逸脱しない範囲において種々の変形が可能である。
【図面の簡単な説明】
【００６５】
【図１】本発明の実施の形態例に係る書類処理装置の全体構成を示す外観図である。
【００６６】
【図２】本実施の形態例に係るリバース読取判別装置３０の読取機構を説明するための図である。
【００６７】
【図３】図２に示す読み取り装置の搬送ベルト及びローラの配設状態を説明するための図である。
【符号の説明】
【００６８】
１０    フィーダ装置
１２    メインコントローラ／判別装置
１５    レジストレーション装置
２０    フロント読取判別装置
３０    リバース読取判別装置
４０    スタッカ装置
５０、５５    読取印刷装置
６０    モニタ部
【図１】
2008024462.tif 000003
【図２】
2008024462.tif 000004
【図３】
2008024462.tif 000005